(57)【要約】  【課題】  入賞する遊技球の球こぼれが生じにくくなるようにすること、不正を防止すること、及び遊技者の興趣が高められるようにすることを課題としている。  【解決手段】  パチンコ機１００におけるアタッカー８の開閉扉１１０を、下側の第一扉１２と上側の第二扉１３とに上下に分割し、第二扉１３が第一扉に対して回動されるように支持し、ソレノイド１６のプランジャ１６ａを後退させることにより、引掛け部３５を介して回動する第一扉１２と共に第二扉１３を変位させ、第一及び第二の各扉１２，１３の変位が終了したときに、各扉１２，１３の球こぼれ防止部２１，２４が連続状態になるようにする。【選択図】  図５
2008154936.tif 000002
【特許請求の範囲】
【請求項１】
遊技機の遊技盤に固定され、その遊技盤上の遊技球を受け入れるための入賞口を有する遊技機用可変入賞装置であって、
遊技球の流下方向下手側の第一扉と上手側の第二扉とに分割して構成され、その第一扉は流下方向下手側の端部において前記遊技盤と平行状で流下方向と交差する第一回動軸線周りで回動可能に配置されると共に、前記入賞口を部分的に閉鎖可能な第一閉鎖部とその第一閉鎖部の外周縁から前記入賞口の内部側に向けて立ち上がる第一側壁部とを有し、前記第二扉は流下方向下手側の端部において前記第一回動軸線と平行状で前記第一扉の流下方向上手側の端部と共有する形態の第二回動軸線周りで回動可能に配置され、これによって前記第一扉と第二扉とが相対的にかつ可逆的に回動可能に配置された開閉扉と、
一端部が前記第二回動軸線と平行な軸線周りで前記第二扉に対して回動可能に支持されると共に、他端部が前記第一回動軸線周りで前記第一扉に対して、又はその第一回動軸線と平行な軸線周りで前記遊技盤に対して、回動可能に支持された連結体と、
前記第一扉又は連結体を回動変位させるためのアクチュエータと、
そのアクチュエータの駆動力を前記開閉扉に伝達する開閉扉伝動機構とを備え、
前記アクチュエータは、前記第一扉と第二扉とを各々の遊技者側の表面が流下方向に沿って一列状に並ぶ形態で前記入賞口を閉鎖して遊技球の入賞を不能とする閉鎖位置と、前記第一扉と第二扉とを各々の遊技者側の表面が前記第二回動軸線において折れ曲がる形態で前記入賞口を開放して遊技球の入賞を可能とする開放位置とに、前記開閉扉伝動機構を介して前記開閉扉を変位することを特徴とする遊技機用可変入賞装置。
【請求項２】
遊技機の遊技盤に固定され、その遊技盤上において遊技球を受け入れるために流下方向を上下方向としその交差方向を左右方向とする矩形状に形成された入賞口を有する遊技機用可変入賞装置であって、
下側の第一扉と上側の第二扉とに分割して構成され、その第一扉は下端部において前記遊技盤と平行状で左右方向の第一回動軸線周りで回動可能に配置されると共に、前記入賞口を部分的に閉鎖可能な板状の第一閉鎖部とその第一閉鎖部の外周縁から前記入賞口の内部側に向けて立ち上がる第一側壁部とを有し、前記第二扉は下端部において前記第一回動軸線と平行状で前記第一扉の上端部と共有する形態の第二回動軸線周りで回動可能に配置されると共に、前記入賞口を部分的に閉鎖可能な板状の第二閉鎖部とその第二閉鎖部の外周縁から前記入賞口の内部側に向けて立ち上がる第二側壁部とを有し、これによって前記第一扉と第二扉とが相対的にかつ可逆的に回動可能に配置された開閉扉と、
一端部が前記第二回動軸線と平行な軸線周りで前記第二扉に対して回動可能に支持されると共に、他端部が前記第一回動軸線と平行な軸線周りで前記遊技盤に対して回動可能に支持された連結体と、
前記第一扉を回動変位させるためのアクチュエータと、
そのアクチュエータの駆動力を前記開閉扉に伝達する開閉扉伝動機構とを備え、
前記アクチュエータは、前記第一扉と第二扉とを各々の遊技者側の表面が流下方向に沿って一列状に並ぶ形態で前記入賞口を閉鎖して遊技球の入賞を不能とする閉鎖位置と、前記第一扉と第二扉とを各々の遊技者側の表面が前記第二回動軸線において折れ曲がる形態で前記入賞口を開放して遊技球の入賞を可能とする開放位置とに、前記開閉扉伝動機構を介して前記開閉扉を変位することを特徴とする遊技機用可変入賞装置。
【請求項３】
前記第一扉と第二扉とが互いに逆方向に回動することにより、前記閉鎖位置と開放位置とにおいて、前記第二扉の遊技者側の表面は同一方向を向いて平行状態を保持することを特徴とする請求項１又は２に記載の遊技機用可変入賞装置。
【請求項４】
前記閉鎖位置において、前記第一扉と第二扉とは、それらの遊技者側の表面が前記入賞口を形成する枠体の遊技者側の表面と、それぞれ面一状になるように配置されていることを特徴とする請求項１ないし３のいずれか１項に記載の遊技機用可変入賞装置。
【請求項５】
前記第一扉と第二扉とのうち少なくとも一方には、前記第二回動軸線に沿って半径方向に膨出する膨出部が形成され、
前記閉鎖位置において前記第一扉と第二扉とが前記膨出部を介して接触することを特徴とする請求項１ないし４のいずれか１項に記載の遊技機用可変入賞装置。
【請求項６】
前記第一扉の第一側壁部と第二扉の第二側壁部とのうち少なくとも一方には、前記開放位置における第二扉の停止位置を規制するための開放位置規制部が形成されると共に、
前記第一扉と第二扉とのうち少なくとも一方には、前記閉鎖位置における第二扉の停止位置を規制するための閉鎖位置規制部が形成されていることを特徴とする請求項２に記載の遊技機用可変入賞装置。
【請求項７】
前記開放位置において前記第一側壁部と第二側壁部とが流下方向に沿って一列状に並びかつ接触することにより、それら両側壁部の接触面が前記開放位置規制部を構成すると共に、前記開閉扉には連続した平面状の側壁部が形成されることを特徴とする請求項６に記載の遊技機用可変入賞装置。
【請求項８】
請求項１ないし７のいずれか１項に記載の遊技機用可変入賞装置が前記遊技盤に固定配置されたことを特徴とする遊技機。
【発明の詳細な説明】
【技術分野】
【０００１】
本発明は、遊技機の遊技盤に固定され、その遊技盤上の遊技球を受け入れるための入賞口を有する遊技機用可変入賞装置、及びそれを用いた遊技機に関するものである。
【背景技術】
【０００２】
遊技機において、「アタッカー」（可変入賞装置）と称される大入賞口を備えた役物は、横長方形状の大入賞口が、対応する閉塞部材（開閉扉）により開閉可能に塞がれる構造となっている。通常、開閉扉は下縁両端部が役物の前面プレート等に例えばヒンジ止めされている。そして、ソレノイド等の駆動手段により、大入賞口を塞ぐ閉塞位置と、その閉塞位置から手前側（遊技者側）に倒伏して大入賞口を開く開放位置との間で変位される。このようなアタッカーとして、例えば特許文献１に開示される技術が存している。
【０００３】
ここで、遊技機における可変入賞装置は、賞球の払出しに直接関与するために不正行為（通称、ゴト行為）の標的となり易い。例えば、遊技機内に針金等の異物を挿入し回動翼片を強制的に開放位置に移動する不正行為によって、大量の賞球が不正に獲得されるおそれがある。
【０００４】
更に、入賞口には、規定数の遊技球が迅速に入賞されることが望ましい。ここで、遊技球は、開状態の開閉扉に衝突してバウンドしながら入賞される。遊技球がバウンドすることにより、球こぼれが発生してしまう。
【特許文献１】特許第３５４４５１９号公報
【発明の開示】
【発明が解決しようとする課題】
【０００５】
本発明は、上記した事情に鑑み、入賞する遊技球の球こぼれが生じにくくなるようにすること、不正行為により入賞装置の入賞口を覆う開閉扉に外力が加えられて入賞口が開けられ、不正に賞球が獲得されないようにすること、及び遊技者の興趣が高められるようにすることを課題としている。
【課題を解決するための手段及び発明の効果】
【０００６】
上記課題を解決するための第一の発明は、遊技機の遊技盤に固定され、その遊技盤上の遊技球を受け入れるための入賞口を有する遊技機用可変入賞装置であって、遊技球の流下方向下手側の第一扉と上手側の第二扉とに分割して構成され、その第一扉は流下方向下手側の端部において前記遊技盤と平行状で流下方向と交差する第一回動軸線周りで回動可能に配置されると共に、前記入賞口を部分的に閉鎖可能な第一閉鎖部とその第一閉鎖部の外周縁から前記入賞口の内部側に向けて立ち上がる第一側壁部とを有し、前記第二扉は流下方向下手側の端部において前記第一回動軸線と平行状で前記第一扉の流下方向上手側の端部と共有する形態の第二回動軸線周りで回動可能に配置され、これによって前記第一扉と第二扉とが相対的にかつ可逆的に回動可能に配置された開閉扉と、一端部が前記第二回動軸線と平行な軸線周りで前記第二扉に対して回動可能に支持されると共に、他端部が前記第一回動軸線周りで前記第一扉に対して、又はその第一回動軸線と平行な軸線周りで前記遊技盤に対して、回動可能に支持された連結体と、前記第一扉又は連結体を回動変位させるためのアクチュエータと、そのアクチュエータの駆動力を前記開閉扉に伝達する開閉扉伝動機構とを備え、前記アクチュエータは、前記第一扉と第二扉とを各々の遊技者側の表面が流下方向に沿って一列状に並ぶ形態で前記入賞口を閉鎖して遊技球の入賞を不能とする閉鎖位置と、前記第一扉と第二扉とを各々の遊技者側の表面が前記第二回動軸線において折れ曲がる形態で前記入賞口を開放して遊技球の入賞を可能とする開放位置とに、前記開閉扉伝動機構を介して前記開閉扉を変位することを特徴としている。
【０００７】
具体的には、遊技機の遊技盤に固定され、その遊技盤上において遊技球を受け入れるために流下方向を上下方向としその交差方向を左右方向とする矩形状に形成された入賞口を有する遊技機用可変入賞装置であって、下側の第一扉と上側の第二扉とに分割して構成され、その第一扉は下端部において前記遊技盤と平行状で左右方向の第一回動軸線周りで回動可能に配置されると共に、前記入賞口を部分的に閉鎖可能な板状の第一閉鎖部とその第一閉鎖部の外周縁から前記入賞口の内部側に向けて立ち上がる第一側壁部とを有し、前記第二扉は下端部において前記第一回動軸線と平行状で前記第一扉の上端部と共有する形態の第二回動軸線周りで回動可能に配置されると共に、前記入賞口を部分的に閉鎖可能な板状の第二閉鎖部とその第二閉鎖部の外周縁から前記入賞口の内部側に向けて立ち上がる第二側壁部とを有し、これによって前記第一扉と第二扉とが相対的にかつ可逆的に回動可能に配置された開閉扉と、一端部が前記第二回動軸線と平行な軸線周りで前記第二扉に対して回動可能に支持されると共に、他端部が前記第一回動軸線と平行な軸線周りで前記遊技盤に対して回動可能に支持された連結体と、前記第一扉を回動変位させるためのアクチュエータと、そのアクチュエータの駆動力を前記開閉扉に伝達する開閉扉伝動機構とを備え、前記アクチュエータは、前記第一扉と第二扉とを各々の遊技者側の表面が流下方向に沿って一列状に並ぶ形態で前記入賞口を閉鎖して遊技球の入賞を不能とする閉鎖位置と、前記第一扉と第二扉とを各々の遊技者側の表面が前記第二回動軸線において折れ曲がる形態で前記入賞口を開放して遊技球の入賞を可能とする開放位置とに、前記開閉扉伝動機構を介して前記開閉扉を変位することを特徴としている。
【０００８】
本発明に係る可変入賞装置では、開閉扉の開放位置において、第一扉と第二扉との各表面が折れ曲がる形態となり、かつ第一扉には、入賞口の内部側に向けて立ち上がる第一側壁部を有しているため、開放位置における第一及び第二の各扉は、箱状（枠状）をなす。これにより、入賞口に入賞しようと遊技球がバウンドしても、こぼれることが防止される。特に、第二扉にも、第一扉と同様な側壁部が設けられている場合には、球こぼれ防止がより確実に図られる。
【０００９】
また、開閉扉の閉鎖位置において、第一及び第二の各扉の表面が遊技球の流下方向に沿って一列状に並ぶと共に、前記開閉扉が複雑な折れ曲り作動を伴って変位するため、針金等の異物を引っ掛けて引っ張ろうとしても、各扉が容易に開かれることがなくなり、賞球を不正に獲得されることが防止される。
【００１０】
そして、第二扉の表面（遊技者側の面）が前後に移動することにより、遊技球の賞状況等の視認性が向上すると共に、閉鎖位置から開放位置に至る間に開閉扉が折れ曲がって変位するため、遊技者の興趣が高められる。
【００１１】
前記遊技盤には、少なくとも前記連結体とアクチュエータと開閉扉伝動機構とを内部に収容するケース体が固定され、そのケース体に前記連結体の他端部が回転可能に支持されているようにすることができる。
【００１２】
連結体をケース体に支持することにより、連結体を安定作動させることができる。その結果、開閉扉を安定して開閉させることができる。
【００１３】
前記第一扉と第二扉とが互いに逆方向に回動することにより、前記閉鎖位置と開放位置とにおいて、前記第二扉の遊技者側の表面は同一方向を向いて平行状態を保持するようにすることができる。
【００１４】
第二扉の表面（遊技者側の面）は、閉鎖位置と開放位置とのいずれの位置においても、同一方向を向き、かつ互いに平行になるため、開閉扉によって遊技者の視界が遮られず、遊技球の入賞の状況を確認することが容易である。また、遊技者が、第二扉の表面を視認し易くなるため、第二扉の表面を報知領域として利用でき、種々の表示が可能になる。
【００１５】
また、前記閉鎖位置において、前記第一扉と第二扉とは、それらの遊技者側の表面が前記入賞口を形成する枠体の遊技者側の表面と、それぞれ面一状になるように配置されていることが望ましい。
【００１６】
これにより、閉鎖位置における第一及び第二の各扉において、枠体から突出する部分がなくなるため、各扉に異物を引っ掛けにくくなり、不正行為を行うことが困難になる。
【００１７】
そして、前記第二扉の遊技者側の表面には、シール部材の貼付、ロゴマークの表示、広告の表示等のための表示領域が形成されているようにすることができる。
【００１８】
開閉扉の閉鎖位置と開放位置とにおいて、第二扉の遊技者側の表面は、遊技者側を向いて平行状態を保持するので、移動表示としての広告効果が大きい。
【００１９】
前記第一扉と第二扉とのうち少なくとも一方には、前記第二回動軸線に沿って半径方向に膨出する膨出部が形成され、前記閉鎖位置において前記第一扉と第二扉とを前記膨出部を介して接触させることができる。
【００２０】
膨出部により、第一及び第二の各扉の隙間が閉塞されるため、前記隙間に異物を挿入することが困難になり、不正が防止される。また、膨出部によって、第一及び第二の各扉の閉鎖位置が規制され、閉鎖位置における各扉が安定して保持される。
【００２１】
更に、前記第一扉の第一側壁部と第二扉の第二側壁部とのうち少なくとも一方には、前記開放位置における第二扉の停止位置を規制するための開放位置規制部が形成されると共に、前記第一扉と第二扉とのうち少なくとも一方には、前記閉鎖位置における第二扉の停止位置を規制するための閉鎖位置規制部が形成されているようにすることができる。
【００２２】
これにより、第一及び第二の各扉は、閉鎖位置だけでなく、開放位置においても安定して保持される。
【００２３】
前記開放位置において前記第一側壁部と第二側壁部とが流下方向に沿って一列状に並びかつ接触することにより、それら両側壁部の接触面が前記開放位置規制部を構成すると共に、前記開閉扉には連続した平面状の側壁部が形成されるようにすることができる。
【００２４】
第一及び第二の各扉の側壁部が接触するため、開放位置における第二扉が安定して配置されると共に、各扉の側壁部が連続することにより、遊技球の球こぼれがより確実に防止される。
【００２５】
上記課題を解決するための第二の発明は、上記したいずれかの遊技機用可変入賞装置が前記遊技盤に固定配置されたことを特徴とする遊技機である。
【００２６】
本発明に係る遊技機では、不正行為による賞球の獲得が防止されると共に、入賞口に入賞する遊技球が、第一及び第二の各扉によってこぼれることが防止される。
【発明を実施するための最良の形態】
【００２７】
本発明の実施例を説明する。図１は第１実施例のアタッカー８が取り付けられたパチンコ機１００の正面図、図２の（ａ）〜（ｃ）は、開閉扉１１０の閉状態におけるアタッカー８の平面図、正面図、側面図、図３は同じく背面斜視図、図４の（ａ）〜（ｃ）は、開閉扉１１０の開状態におけるアタッカー８の平面図、正面図、側面図、図５は同じく背面斜視図、図６の（ａ）は開閉扉１１０の閉状態の側面断面図であり、（ｂ）は同じく閉状態の側面断面図である。
【実施例１】
【００２８】
最初に、遊技機（パチンコ機１００）の全体について説明する。図１に示されるように、パチンコ機１００の遊技盤１の前面には、ほぼ左半周が内外２本の発射レール２によって区画され、全体としてほぼ円形の遊技領域３が形成されている。この遊技領域３のほぼ中央部には、遊技中に行われる第一の当否抽選（特別図柄抽選）の結果等を演出表示及び確定表示するための液晶表示部４が設置されている。液晶表示部４の下方には、狭く開口し、遊技球（図示せず）の入賞を困難にする閉塞状態（図１に示される状態）と、広く開口し、遊技球の入賞を容易にする開放状態（図示せず）とに開口態様が変化するスタートチャッカー５が配置されている。このスタートチャッカー５は、遊技球を入賞させることにより、第一の当否抽選を開始させるという機能をも有している。スタートチャッカー５の下方には、第一の当否抽選の結果が大当たりのときに、その開閉扉６ａを開放して、規定数の遊技球を入賞し易くするアタッカー６（大入賞口）が配置されている。そして、本実施例のパチンコ機１００は、「ダブルアタッカー」と称されていて、遊技領域３の右側の下部には、遊技盤１と別体の遊技台板７が取り付けられていて、この遊技台板７に別のアタッカー８が配置されている。なお、図１において、９は、第二の当否抽選（普通図柄抽選）を開始させるためのスルーゲートである。
【００２９】
第１実施例のアタッカー８について説明する。図２ないし図５に示されるように、第１実施例のアタッカー８は、遊技台板７に設けられた方形状の開口１１を閉塞するための開閉扉１１０を備えている。開閉扉１１０は、下側の第一扉１２と、開状態において折り曲げられ、第一扉１２の手前側（遊技者側）の上部に積み重なる形態で配置される上側の第二扉１３とを備えている。遊技台板７の奥側には、上下の各ケース体１４，１５が取り付けられている。下ケース体１５における幅方向（パチンコ機１００の左右方向）の一方側（本実施例の場合、正面視におけるパチンコ機１００の左側）には、開閉扉１１０を開閉させるためのアクチュエータ（本実施例の場合、ソレノイド１６）と、その駆動力を開閉扉１１０に伝達するための開閉扉伝動機構とが配設されている。また、下ケース体１５における手前側の部分で、第一扉１２の直後方には、遊技球Ｂを入賞させるための入賞領域Ａが設けられていて、開閉扉１１０が開かれたとき、遊技台板７の開口１１を介して流下する遊技球Ｂを規定数だけ入賞させる（このときの遊技球Ｂの流下方向を、Ｑとする）。なお、本明細書では、遊技台板７（開口１１を含む）と下ケース体１５との両方の機能を有するものを「枠体」と記載している。また、図３において、１７は、入賞した遊技球Ｂをカウントするための通過型センサである。
【００３０】
次に、開閉扉１１０について説明する。開閉扉１１０のうちの第一扉１２は、後述する開閉扉伝動機構に連結されていて、ソレノイド１６のオン／オフにより、回動される。図３及び図６に示されるように、第一扉１２は長方形状の平板より成り、回動支持部１８（後述）の側に向かうにつれて徐々に肉厚が厚くなった第一扉本体１９と、第一扉本体１９の長手方向（パチンコ機１００の左右方向に沿った方向）の両端部から立設された一対の第一側壁部（第一球こぼれ防止部２１）とを備えている。各第一球こぼれ防止部２１の上端縁部２１ａは、第一扉本体１９に対して所定の角度で傾斜している。そして、各第一球こぼれ防止部２１の外側部から、パチンコ機１００の左右方向に沿って一対の回動支持部１８が突設されていて、各回動支持部１８は、下ケース体１５に嵌合されている。このため、第一扉本体１２は、各回動支持部１８の軸線１８ａを中心に回動自在である。
【００３１】
図２ないし図６に示されるように、第一扉本体１９の上端縁部は、その長手方向の両端部が切除されていて、その残りの部分に凸部１９ａが形成されている。第一扉本体１９の裏面で、凸部１９ａにおける長手方向の両端部には、第二扉１３を回動可能に支持するための一対の回動支持部２２が設けられている。各回動支持部２２は半円筒形状であり、第一扉本体１９の奥側に向かって膨出されている。また、第一扉本体１９の表面（遊技者と対向する側の面）には、第一扉本体１９の外周縁より少し小さい窪み部１９ｂが形成されている。この窪み部１９ｂには、シール部材が貼付されたり、ロゴマーク、広告等が表示される。
【００３２】
図２ないし図６に示されるように、開閉扉１１０のうちの第二扉１３は、第一扉１２と同様に、長方形状の平板より成る第二扉本体２３と、第二扉本体２３の長手方向の両端部から立設された一対の第二側壁部（第二球こぼれ防止部２４）とを備えている。第二扉本体２３の下端縁部には、第一扉本体１９の凸部１９ａに嵌合される凹部２３ａが設けられている。第二扉本体２３の裏面で、その長手方向の両端部には、第一扉本体１９の各回動支持部２２の外側部に近接配置される半円筒形状の各連結部２５が、奥側に向かって膨出されている。第一扉本体１９の各回動支持部２２と第二扉本体２３の各連結部２５は、それぞれ連結軸２６を挿入可能なように中空に設けられている。第一及び第二の各扉本体１９，２３が組み付けられたとき、第一扉本体１９の各回動支持部２２と、第二扉本体２３の各連結部２５とは、ほぼ一直線状に配置される（図３参照）。この状態で、各回動支持部２２と各連結部２５に連結軸２６が挿入される。これにより、第一及び第二の各扉本体１９，２３は、連結軸２６の軸線２６ａを中心に、相対的に回動自在である。
【００３３】
また、第二扉本体２３の背面部には、第一扉本体１９の一対の回動支持部２２の内側部に近接配置されるストッパ部２７が、奥側に向かって膨出されている。図６の（ａ）に示されるように、開閉扉１１０の閉状態で、ストッパ部２７は、第一扉本体１９の凸部１９ａと第二扉本体２３の凹部２３ａとの隙間を閉塞している。このため、第一扉本体１９と第二扉本体２３との隙間に異物を挿入することが困難になり、不正防止が図られている。また、開状態の第一及び第二の各扉１２，１３が閉じられるとき、第一扉本体１９の凸部１９ａが、第二扉本体２３のストッパ部２７を全長に亘って押す。これにより、第一及び第二の各扉１２，１３を変位させるソレノイド１６の駆動力が、各扉１２，１３における幅方向の片側のみに作用する場合であっても、各扉１２，１３は、こじれることなくスムーズに閉じられる。
【００３４】
第二扉本体２３における他方側（正面視におけるパチンコ機１００の右側）には、第二扉本体２３とほぼ平行に長孔２８が設けられていて、この長孔２８に、ロッド２９の一端部（上端部）に設けられた上側突起部３１が嵌合されている。そして、ロッド２９の他端部（下端部）には、上側突起部３１と逆方向に突出する下側突起部３２が設けられている。下側突起部３２は、パチンコ機１００の上ケース体１４に設けられた支持孔３３に挿入されていて、その軸線３２ａを中心に回動自在である。第一扉１２の回動に伴い、第二扉１３が、連結軸２６の軸線２６ａを中心に回動しようとする。しかし、第二扉１３は、ロッド２９を介して上ケース体１４に連結されていて、上ケース体１４に対するロッド２９の回動に拘束されて、所定の軌跡を描きながら、第一扉１２に対して相対的に回動される。
【００３５】
各第二球こぼれ防止部２４の下端縁部２４ａは、第二扉本体２３に対して所定の角度で傾斜している。また、第二扉本体２３の表面には、第一扉本体１９と同様に、第二扉本体２３の外周縁よりも少し小さい窪み部２３ｂが形成されていて、この窪み部２３ｂに、シール部材を貼付したり、ロゴマーク、広告等を表示することが可能である。
【００３６】
次に、ソレノイド１６の駆動力を開閉扉１１０に伝達するための開閉扉伝動機構について説明する。図３及び図７の（ａ）に示されるように、下ケース体１５の一方側の後部には、プランジャ１６ａの軸線をパチンコ機１００の奥行き方向に沿わせてソレノイド１６が配設されている。ソレノイド１６のプランジャ１６ａは、付勢ばね３０により、常に前方（突出方向）に付勢されている。プランジャ１６ａの先端部には、ブラケット３４が取り付けられている。このブラケット３４には、引掛け部３５が連結されている。引掛け部３５の側面部には、円柱形状の突起体（回動支持部３６）がパチンコ機１００の左右方向に沿って突出されていて、下ケース体１５に支持されている。このため、引掛け部３５は、回動支持部３６の軸線３６ａを中心に回動自在である。そして、この回動支持部３６が、ブラケット３４に設けられた長孔３４ａに嵌合されていると共に、ブラケット３４の側面部に突設されたボス部３７が、引掛け部３５に形成された切欠部３５ａに嵌合されている。引掛け部３５の先端部には、二股に分かれた挟込み部３８が形成されていて、この挟込み部３８に、第一扉１２の突起部３９が挟み込まれている。通常の遊技状態で、ソレノイド１６のプランジャ１６ａは前進端に位置されていて、引掛け部３５の挟込み部３８の上口部３８ａが、第一扉１２の突起部３９を下方に向かって押さえ付けている。これにより、第一扉本体２３の表面は、遊技台板７の表面とほぼ面一状で、遊技台板７とほぼ平行に配置される。
【００３７】
図７の（ｂ）に示されるように、ソレノイド１６を通電させ、付勢ばね３０の付勢力に抗してプランジャ１６ａを後退させると、ブラケット３４のボス部３７が、引掛け部３５の切欠部３５ａを引っ張る。これにより、引掛け部３５が、回動支持部３６の軸線３６ａを中心に反時計回りの方向に回動される。第一扉１２の重心は手前側（遊技者側）に位置しているため、第一扉１２が、時計回りの方向に回動する。そして、第一扉１２は、遊技台板７の表面よりも手前側（遊技者側）に突出する。
【００３８】
第一及び第二の各扉１２，１３は、連結軸２６を介して連結されているため、図８の（ａ），（ｂ）に示されるように、第一扉１２が回動されるのに伴い、第二扉１３がロッド２９の回動に拘束されながら変位する。即ち、ソレノイド１６のプランジャ１６ａが後退され、第一扉１２が回動支持部１８の軸線１８ａを中心に回動すると、第一扉本体１９の先端部の位置（上端位置）が徐々に低くなり、かつ遊技台板７の手前側に突出する。第二扉１３が、自重により、第一扉１２に追従して下降すると共に、ロッド２９に引っ張られて、連結軸２６の軸線２６ａを中心に、第一扉１２と反対の方向に回動する。第一扉１２の回動が終了する（第一扉１２が最大に回動する）と、一対の第二球こぼれ防止部２４の下端縁部２４ａが、対応する各第一球こぼれ防止部２１の上端縁部２１ａに当接して停止する。この状態で、第二扉本体２３の表面は、遊技台板７とほぼ平行に配置される。そして、遊技台板７の開口１１が大きく開放され、遊技球Ｂが入賞可能となる。
【００３９】
図３ないし図７を参照しながら、第１実施例のアタッカー８について、開閉扉１１０の第一及び第二の各扉１２，１３が、閉状態から開状態に至るときの作用を説明する。図２及び図３に示されるように、通常の遊技状態で、第一及び第二の各扉１２，１３の各扉本体１９，２３が、遊技台板７の開口１１を閉塞している。第二扉本体２３の上端縁部と開口１１の内周縁部との隙間は僅かである。このため、第二扉本体２３の上端縁部と開口１１の内周縁部との隙間に、異物（針金等）を挿入させることは困難である。また、第一扉本体１９の凸部１９ａと第二扉本体２３の凹部２３ａとの隙間に異物が挿入された場合であっても、第二扉本体２３の奥部にストッパ部２７が膨出して隙間を覆っているため、異物の進入が阻止される。更に、第一及び第二の各扉本体１９，２３の両側部には、それぞれ第一及び第二の各球こぼれ防止部２１，２４が縁設されていて、第一球こぼれ防止部２１の上端縁部２１ａと第二球こぼれ防止部２４の下端縁部２４ａは、傾斜面となっている。これにより、第一及び第二の各扉１２，１３の周縁部に異物を引っ掛けることは困難である。
【００４０】
図７の（ａ），（ｂ）に示されるように、大当たり状態になると、図示しない制御部からソレノイド１６に指令が送られて通電されることにより、そのプランジャ１６ａが後退させられる。これにより、ブラケット３４に連結された引掛け部３５が、回動支持部３６の軸線３６ａを中心に反時計回りの方向に回動される。第一扉１２の重心は、手前側（遊技者側）に位置しているため、第一扉１２が、時計回りの方向に回動する。このとき、第一扉１２の突起部３９は、引掛け部３５の挟込み部３８の上口部３８ａに追従して移動する。そして、第一扉１２の第一扉本体１９が遊技台板７の手前側に突出する。第一扉１２の回動に伴って第二扉１３が変位し、第一扉１２に積み重なって配置される。この結果、遊技台板７の開口１１が大きく開かれ、遊技球Ｂが入賞可能となる。
【００４１】
このときの第二扉１３の変位について、更に詳細に説明する。図７の（ｂ）に示されるように、第一扉１２が回動支持部１８の軸線１８ａを中心に、時計回りの方向に回動すると、第一扉本体１９が遊技台板７よりも前方（遊技者側）に突出するため、その先端部（凸部１９ａ）の位置が低くなる。これにより、第二扉本体１３も下降しようとする。しかし、第二扉１３は、ロッド２９を介して下ケース体１５に連結されていて、ロッド２９に引っ張られているため、連結軸２６の軸線２６ａを中心に反時計回りの方向に相対的に回動されて折り曲げられ、第二扉本体２３が、第一扉１２の第一扉本体１９よりも遊技者側に突出されることはない。しかも、図８の（ｂ）に示されるように、ロッド２９の上側突起部３１は、第二扉１３の第二球こぼれ防止部２４に、第二扉本体２３とほぼ平行にして形成された長孔２８に嵌入されている。ここで、閉状態における第二扉本体２３は、遊技台板７とほぼ平行に配置されているため、長孔２８は、遊技台板７とほぼ平行に形成されている。この結果、第一扉１２の回動に伴って変位する第二扉１３は、ロッド２９に拘束され、その第二扉本体２３の表面と遊技台板７との略平行状態を維持しながら下降する。そして、一対の第二球こぼれ防止部２４の下端縁部２４ａが、対応する各第一球こぼれ防止部２１の上端縁部２１ａに当接して停止する。この状態で、第二扉本体２３の表面は、遊技台板７とほぼ平行な状態に配置される。
【００４２】
上記したように、第二扉１３の第二扉本体２３は、開閉扉１１０の閉状態及び開状態のいずれの場合であっても、遊技台板７とほぼ平行に配置される。このため、第二扉本体２３の表面の窪み部２３ｂに貼り付けられたシール部材、ロゴマーク、広告等は、開閉扉１１０がいずれの状態であっても、遊技者に視認される。
【００４３】
第一及び第二の各扉１２，１３の各扉本体１９，２３の両端部には、第一及び第二の各球こぼれ防止部２１，２４が設けられていて、各扉１２，１３の開状態において、第一球こぼれ防止部２１の上端縁部２１ａと第二球こぼれ防止部２４の下端縁部２４ａとが当接される。即ち、第一及び第二の各球こぼれ防止部２１，２４は、高さ方向に連続状態で配置される。この状態で、各球こぼれ防止部２１，２４の高さは、遊技球Ｂの直径よりも大きくなる。これにより、第一扉１２の扉本体１９の裏面に衝突してバウンドする遊技球Ｂの球こぼれが防止される。
【００４４】
規定数の遊技球Ｂが入賞領域Ａに入賞すると、図示しない制御部からの指令がソレノイド１６に送られ、その通電が遮断される。ソレノイド１６のプランジャ１６ａは、付勢ばね３０の付勢力により突出される。これにより、上記と逆の工程を経て、第一及び第二の各扉１２，１３が閉じられる。この結果、遊技台板７の開口１１が閉塞される。
【００４５】
本実施例のアタッカー８では、開閉扉１１０が開かれるとき、回動する第一扉１２に対して、第二扉１３が折り曲げられて変位する。これにより、遊技者の視覚的な興趣が高められる。
【実施例２】
【００４６】
次に、図９及び図１０を参照しながら、第２実施例のアタッカー４１について説明する。上記した第１実施例のアタッカー８では、第二扉１３の移動を拘束するロッド２９の突起部３２が、遊技盤１の支持孔３３に挿通されている場合である。しかし、第２実施例のアタッカー４１の開閉扉１１０のように、第一及び第二の各扉１２，１３の両側に一対のロッド４２が取り付けられていて、各ロッド４２の他端部が、第一扉１２の回動支持部１８に連結されていてもよい。この実施例のアタッカー４１の開閉扉１１０の場合、例えば、図示しないソレノイド等によって各ロッド４２が押されることにより、第一及び第二の各扉１２，１３が変位し、開閉扉１１０が開けられる。そして、第１実施例のアタッカー８の場合と同一の作用効果（球こぼれ防止、不正防止、遊技者の興趣の向上）が奏される。
【００４７】
上記した各実施例のアタッカー８，４１において、第二扉本体２３の表面が、少なくとも開閉扉１１０の閉状態と開状態において遊技台板７と平行になるのであればよくて、その途中の状態においては、第二扉本体２３の表面が遊技台板７に対して傾斜していてもよい。
【００４８】
各実施例のアタッカー８，４１において、開閉扉１１０を開閉させるためのアクチュエータは、ソレノイド１６である。このため、制御が簡単で、かつ安価であるという利点がある。しかし、ソレノイド１６以外のアクチュエータ（例えば、電動モータ、エアシリンダ等）であってもよい。
【００４９】
各実施例のアタッカー８，４１において、開閉扉伝動機構は、引掛け部３５等のリンク機構である。このため、その構成が簡単になるという利点がある。しかし、それ以外の伝動機構（例えば、歯車、ベルト、チェーン、ワイヤ、ロープ等による巻き掛け伝動機構や、摩擦車による接触伝動機構）であってもよい。
【図面の簡単な説明】
【００５０】
【図１】第１実施例のアタッカー８が取り付けられたパチンコ機１００の正面図である。
【図２】（ａ）〜（ｃ）は、開閉扉１１０の閉状態におけるアタッカー８の平面図、正面図、側面図である。
【図３】同じく背面斜視図である。
【図４】（ａ）〜（ｃ）は、開閉扉１１０の開状態におけるアタッカー８の平面図、正面図、側面図である。
【図５】同じく背面斜視図である。
【図６】（ａ）は開閉扉１１０の閉状態の側面断面図であり、（ｂ）は同じく開状態の側面断面図である。
【図７】左側面視におけるアタッカー８の作用説明図である。
【図８】右側面視におけるアタッカー８の作用説明図である。
【図９】（ａ）は開閉扉１１０の閉状態における第２実施例のアタッカー４１の正面図であり、（ｂ）は同じく側面図である。
【図１０】（ａ）は開閉扉１１０の開状態における第２実施例のアタッカー４１の正面図であり、（ｂ）は同じく側面図である。
【符号の説明】
【００５１】
１００：パチンコ機（遊技機）
１１０：開閉扉
１：遊技盤
７：遊技台板（枠体）
８，４１：アタッカー（可変入賞装置）
１１：開口（入賞口）
１２：第一扉
１３：第二扉
１４：上ケース体（枠体）
１５：下ケース体（枠体）
１６：ソレノイド（アクチュエータ）
１８ａ：軸線（第一回動軸線）
１９：第一扉本体（第一閉鎖部）
１９ｂ：窪み部（表示領域）
２１：第一球こぼれ防止部（第一側壁部）
２３：第二扉本体（第二閉鎖部）
２３ｂ：窪み部（表示領域）
２４：第二球こぼれ防止部（第二側壁部）
２６ａ：軸線（第二回動軸線）
２９，４２：ロッド（連結体）
３５：引掛け部（開閉扉伝動機構）
Ｂ：遊技球
Ｑ：流下方向
【図１】
2008154936.tif 000003
【図２】
2008154936.tif 000004
【図３】
2008154936.tif 000005
【図４】
2008154936.tif 000006
【図５】
2008154936.tif 000007
【図６】
2008154936.tif 000008
【図７】
2008154936.tif 000009
【図８】
2008154936.tif 000010
【図９】
2008154936.tif 000011
【図１０】
2008154936.tif 000012